(57)【特許請求の範囲】
【請求項１】
第１の筐体片と、該第１の筐体片に嵌合部を介して取付けられ無線通信機能を有する基板を搭載する第２の筐体片と、前記第１の筐体片と前記第２の筐体片との間に挾み込まれ密着するパッキンとを具備し、前記第２の筐体片の前記嵌合部には前記パッキンが嵌込まれる溝部が形成され、該溝部の複数の所定箇所に該溝部の中心線と平行な両溝壁面を欠切して突部収納部を形成し、前記パッキンの前記突部収納部と対応する位置に該突部収納部に収納可能な突部を形成し、該突部は前記パッキンの断面の図形中心から偏心した位置に該パッキンの中心線に対して対称となる様２方向に突出することを特徴とする無線端末。
【請求項２】
前記溝部の深さは、前記突部を完全に収納することができる深さとする請求項１に記載の無線端末。
【請求項３】
前記突部が形成される方向は、前記パッキンが前記第１の筐体片及び第２の筐体片と密着する面に対して平行である請求項１又は請求項２に記載の無線端末。
【請求項４】
前記パッキンの上端が前記第１の筐体片と全長に亘って密着し、前記パッキンの下端が前記溝部の底面と全長に亘って密着し、前記突部は前記第１の筐体片と密着しない請求項１乃至請求項３に記載の無線端末。
【請求項５】
前記パッキンの前記突部と前記溝部側壁面との間に隙間が形成されている請求項１乃至請求項４に記載の無線端末。
【請求項６】
前記突部の下面が前記溝部の底面と平行となる様に形成し、少なくとも何れか一方の前記突部の下面が前記溝部の底面と当接する請求項１乃至請求項５に記載の無線端末。
【発明の詳細な説明】
【技術分野】
【０００１】
本発明は、無線通信を行う無線端末、特に防水構造を有する無線端末に関するものである。
【背景技術】
【０００２】
完全防水構造の無線端末の場合、しばしばＯリング等の防水パッキンが利用される。
【０００３】
図７、図８に於いて、従来の無線端末について説明する。無線端末１は筐体を有し、該筐体は第１の筐体片である箱形状の前面ケース２と、該前面ケース２に取付けられ、配線基板等が搭載される第２の筐体片であるシャーシ３とで構成されている。尚、図７は前記前面ケース２と前記シャーシ３とが組立てられた状態を示している。該シャーシ３には円形の断面形状を有するパッキン４が取付けられ、前記シャーシ３の後面（図７中では右側）に図示しないバッテリが装着される様になっている。
【０００４】
前記シャーシ３は前面（図７中では左側）に枠状の嵌合部５が全周無端に突設され、該嵌合部５の外周面には全周に亘って連続する溝部６が形成され、前記パッキン４を取付ける際には前記溝部６に前記パッキン４が嵌込まれる。尚、該パッキン４は前記溝部６に嵌入できる様環状となっており、又該溝部６へは伸張した状態で嵌込まれるので、前記パッキン４の全長は前記溝部６全周の長さよりも短くなっている。
【０００５】
前記無線端末１を組立てる際には、前記溝部６に前記パッキン４を嵌込み、該パッキン４を取付けた状態で、前記シャーシ３を斜め下方（図７中右下）から斜め上方（図７中左上）に向って前記嵌合部５が嵌合する様に前記前面ケース２に挿入して取付ける。前記シャーシ３の取付け後、ネジ等の固着具７により所要箇所がネジ止めされ、最後にアンテナ８が取付けられ、前記シャーシ３の後面にバッテリ（図示せず）が装着され、前記無線端末１の組立てが完了する。
【０００６】
この時、前記嵌合部５に取付けられた前記パッキン４の外寸は、前記前面ケース２の内寸よりも大きくなっているので、前記前面ケース２に前記嵌合部５が挿入された際には、前記パッキン４が前記前面ケース２の内壁によって押圧され、弾性変形により圧縮されることで前記前面ケース２及び前記シャーシ３に密着し、前記前面ケース２と前記シャーシ３が前記パッキン４によってシールされ、前記無線端末１の防水性が確保される。
【０００７】
然し乍ら、前記シャーシ３取付けの際に、前記パッキン４には前記シャーシ３の挿入方向とは逆向き、即ち後方及び下方（図７中では右側及び下側）に摩擦による力が作用する。従って前記パッキン４が下方に引延されると共に捩られる。この為、該パッキン４にずれや捩れが生じる場合があり、該パッキン４のずれや捩れにより前記前面ケース２、前記シャーシ３のシール性に不均一を生じ、前記無線端末１の防水性が低下する虞れがあった。
【先行技術文献】
【特許文献】
【０００８】
【特許文献１】特開２００８−２５２７１９号公報
【発明の概要】
【発明が解決しようとする課題】
【０００９】
本発明は斯かる実情に鑑み、組立て時に於けるパッキンのずれや捩れを防止し、防水性を高めた無線端末を提供するものである。
【課題を解決するための手段】
【００１０】
本発明は、第１の筐体片と、該第１の筐体片に嵌合部を介して取付けられ基板等の無線通信機能を搭載する第２の筐体片と、前記第１の筐体片と前記第２の筐体片との間に挾み込まれ密着するパッキンとを具備し、前記第２の筐体片の前記嵌合部には前記パッキンが嵌込まれる溝部が形成され、前記パッキンの断面の図形中心から偏心した位置に突部を形成した無線端末に係るものである。
【発明の効果】
【００１１】
本発明によれば、第１の筐体片と、該第１の筐体片に嵌合部を介して取付けられ基板等の無線通信機能を搭載する第２の筐体片と、前記第１の筐体片と前記第２の筐体片との間に挾み込まれ密着するパッキンとを具備し、前記第２の筐体片の前記嵌合部には前記パッキンが嵌込まれる溝部が形成され、前記パッキンの断面の図形中心から偏心した位置に突部を形成したので、組立て時に該突部全体を前記第２の筐体片の前記溝部に確実に収納することができる。よって、組立て時に前記溝部から突出した前記突部が前記第１の筐体片に引っ掛かり、組立て難くするのを防止することができるという優れた効果を発揮する。
【図面の簡単な説明】
【００１２】
【図１】本発明に於ける前面ケース、パッキン、シャーシを示す斜視図である。
【図２】本発明に於ける前面ケース及びパッキンが取付けられたシャーシを示す側面図である。
【図３】本発明に於ける組立て後の無線端末を示す側面図である。
【図４】本発明に於けるパッキンの平断面図である。
【図５】図３のＡ−Ａ矢視図である。
【図６】本発明に於けるリブの収納を示す部分拡大側面図である。
【図７】従来の無線端末を示す側面図である。
【図８】図７のＣ−Ｃ矢視図である。
【発明を実施するための形態】
【００１３】
以下、図面を参照しつつ本発明の実施例を説明する。
【００１４】
図１〜図６に於いて、本発明の無線端末について説明する。尚、図７、図８中と同等のものには同符号を付し、その説明を省略する。又、図３のＢ−Ｂ矢視図は図８と同一である為、図を省略する。
【００１５】
無線端末１の筐体は、第１の筐体片である前面ケース２及び第２の筐体片であるシャーシ３によって構成され、前記前面ケース２は、後面が開放され、開口部が形成された箱形状となっており、前面（図１中では左側）に液晶ディスプレイ等の表示部９、ボタンキー等の操作部１０を有している。又、前記前面ケース２の上面（図１中では上側）に前記シャーシ３に接続されるアンテナ８等が挿通されるアンテナ挿通孔１１を有し、両側面には前記シャーシ３を固定する為のネジ孔１２を有している。
【００１６】
前記シャーシ３の前面（図１中では左側）には枠状の嵌合部５が全周無端に突設され、該嵌合部５の外周面には溝部６（図８参照）が全周に亘って連続して形成されている。該溝部６は断面形状が矩形であり、前記パッキン４が嵌入可能となっており、前記溝部６の幅は前記パッキン４の直径より僅かに大きく、深さは該パッキン４の直径より浅くなっており、該パッキン４を前記溝部６に嵌入した状態では前記パッキン４の一部が前記溝部６より突出する様になっている。
【００１７】
又、該溝部６の所定の箇所（例えば左右に２箇所ずつ）には、該溝部６の断面が逆凸形状となる様該溝部６の中心線と平行な両溝壁面を欠切してリブ収納部１３（図５参照）が形成される。又、前記シャーシ３は上面（図１中では上側）に前記アンテナ８等が接続されるアンテナ接続部１４を有すると共に、両側面に前記前面ケース２に固定する為のネジ孔１５を有し、前面には配線基板１６が搭載されている。
【００１８】
前記パッキン４はリング状で且つ断面が円形状の弾性部材であり、該パッキン４の所定の箇所（例えば左右に２箇所ずつ）には、該パッキン４の断面の直径に対して対称であり、該直径に直交する他の直径と平行に突出したリブ１７，１７が形成される。該リブ１７，１７は所定の厚みと略台形の外形形状を有する突部であり、前記パッキン４を前記溝部６に嵌入した際には、前記リブ１７，１７の下面が前記溝部６の底面と平行となり、前記リブ収納部１３に収納される。
【００１９】
図４は前記パッキン４の前記リブ１７，１７が形成された部分の断面を示している。該リブ１７，１７が形成されるのは前記パッキン４の断面の図形中心から偏心した位置（図４中では下側）であり、該パッキン４を前記溝部６に嵌込んだ際には、前記パッキン４が前記溝部６から突出すると共に前記リブ１７，１７が前記溝部６に完全に収納される様になっている。
【００２０】
尚、前記溝部６の幅は前記パッキン４の径よりも大きく、前記パッキン４の中心線と直交する側の前記リブ収納部１３の幅は前記リブ１７部の幅寸法より大きく、前記パッキン４の中心線と平行な側の前記リブ収納部１３の幅は前記リブ１７の長さよりも長くなっており、前記パッキン４を前記溝部６に嵌入した際には、該溝部６と前記パッキン４との間には隙間が形成される。
【００２１】
又、前記リブ収納部１３の底面から前記溝部６の底面迄の距離は、前記リブ１７，１７の下面から前記パッキン４の下端迄の距離よりも短く、該パッキン４を前記溝部６に嵌入させた際には、前記パッキン４が圧縮されるにも拘らず、前記リブ１７，１７の下面と前記リブ収納部１３の底面との間に隙間が形成される。これにより、ある程度のスペースを確保して圧縮する為、より高い防水効果を有することができる。
【００２２】
前記無線端末１の組立てを行う際には、先ず前記パッキン４を前記シャーシ３に取付ける。前記パッキン４の取付けは、該パッキン４を伸張させ、前記リブ１７，１７を前記リブ収納部１３に位置合せして前記溝部６に嵌込む。
【００２３】
次に、前記シャーシ３を前記前面ケース２の斜め下方より挿入し、前記アンテナ接続部１４を前記アンテナ挿通孔１１に挿通する。前記アンテナ挿通孔１１に挿通した前記アンテナ接続部１４を支点として前記シャーシ３を回転させ、前記嵌合部５を前記前面ケース２の開口部に挿入する。
【００２４】
この時、図５に示される様に、前記パッキン４は前記前面ケース２の内周面によって押圧されて圧縮変形し、前記パッキン４が圧縮変形することで前記リブ１７，１７が前記溝部６の底面方向へと変位し、前記リブ１７，１７の下面が前記リブ収納部１３の底面と接触する様になっている。
【００２５】
又、前記パッキン４は押圧された状態で前記前面ケース２に挿入されることから、該パッキン４には前記前面ケース２からの摩擦力によって、前記シャーシ３の挿入方向とは逆向き、即ち下方に伸張される力と捩れ方向に捩れる力とが作用する。前記パッキン４に下方への力が加わった場合には、前記リブ１７，１７が前記リブ収納部１３の前記パッキン４の中心線と直交する側面に当接することで前記パッキン４の中心線方向の動きが規制され、該パッキン４に対して捩れ方向への力が加わった場合には、一方の前記リブ１７の下面が前記リブ収納部１３の底面に当接することで前記パッキン４の捩れ方向の動きが規制される。
【００２６】
前記前面ケース２の開口部から前記シャーシ３を挿入し、該シャーシ３を前記前面ケース２に取付けた後、ネジ等の固着具７により、前記ネジ孔１２及び前記ネジ孔１５を介して前記前面ケース２と前記シャーシ３とをネジ止めし、固定する。最後に、前記アンテナ接続部１４にアンテナ８等を接続し、前記シャーシ３の後面に図示しないバッテリを取付けることで、前記無線端末１の組立てが完了する。
【００２７】
上述の様に、前記前面ケース２、前記シャーシ３間の防水を行う前記パッキン４に前記リブ１７，１７を形成し、前記シャーシ３の前記パッキン４を嵌込む前記溝部６に前記リブ１７，１７を収納可能なリブ収納部１３を形成し、前記リブ１７，１７を前記リブ収納部１３に収納する様にしたので、前記シャーシ３を前記ケース２に取付ける際に、前記リブ１７，１７が前記リブ収納部１３の前記パッキン４の中心線と直交する側面と当接することで前記パッキン４に対する中心線方向への動きを規制でき、該パッキン４にずれが発生することを防止し、前記無線端末１の防水性が低下するのを抑制することができる。
【００２８】
又、前記リブ１７，１７の下面が、前記溝部６の底面と平行となる様に形成したので、前記シャーシ３を前記前面ケース２に取付ける際に、何れか一方の前記リブ１７の下面が前記リブ収納部１３の底面と当接することで前記パッキン４の捩れ方向への動きを規制でき、該パッキン４が捩れることによる防水性の低下を抑制することができる。
【００２９】
又、前記リブ１７，１７を、前記パッキン４の断面の図形中心から偏心した位置に形成し、前記リブ収納部１３の深さを前記リブ１７，１７を完全に収納することができる深さとしたので、前記シャーシ３を前記前面ケース２に取付ける際に、前記溝部６から前記リブ１７，１７が突出することなく、前記前面ケース２の内縁が前記リブ１７，１７に引っ掛かり、組立て難くするのを防止することができる。
【００３０】
又、前記シャーシ３の取付状態では、前記前面ケース２に前記パッキン４の上端が全長に亘って接触すると共に、前記溝部６の底面に前記パッキン４の下端が全長に亘って接触し、又前記パッキン４を前記溝部６に嵌入した際には前記リブ１７，１７の上面と前記前面ケース２との間に隙間が形成されると共に、前記リブ１７，１７の下面と前記リブ収納部１３の底面との間に隙間が形成されているので、前記前面ケース２と前記シャーシ３間の防水を行う箇所と、前記パッキン４のずれや回転を防止する箇所が異なる部位となり、前記パッキン４の圧縮変形を前記リブ１７，１７が阻害せず、防水性を損わない。又、該リブ１７，１７が形成される方向を、前記溝部６の底面に対して平行とすることにより、前記リブ１７，１７の前記パッキン４の圧縮変形に対する影響を最小限とすることができ、より高い防水性を発揮できる。
【００３１】
更に、前記パッキン４を前記溝部６に嵌込んだ際に、前記パッキン４と前記溝部６壁面との間に隙間が形成されているので、前記シャーシ３取付け時に前記パッキン４が押圧され、圧縮変形するのを阻害せず、より防水性を高めることができる。
【００３２】
（付記）
又、本発明は以下の実施の態様を含む。
【００３３】
（付記１）第１の筐体片と、該第１の筐体片に嵌合部を介して取付けられ基板等の無線通信機能を搭載する第２の筐体片と、前記第１の筐体片と前記第２の筐体片との間に挾み込まれ密着するパッキンとを具備し、前記第２の筐体片の前記嵌合部には前記パッキンが嵌込まれる溝部が形成され、前記パッキンの断面の図形中心から偏心した位置に突部を形成したことを特徴とする無線端末。
【００３４】
（付記２）前記突部は前記パッキンの中心線に対して対称となる様２方向に形成された付記１の無線端末。
【００３５】
（付記３）前記パッキンの上端が前記第１の筐体片と全長に亘って密着し、前記パッキンの下端が前記溝部の底面と全長に亘って密着し、前記突部は前記第１の筐体片及び前記溝部と密着しない付記１の無線端末。
【００３６】
（付記４）前記突部が形成される方向は、前記パッキンが前記第１の筐体片及び第２の筐体片と密着する面に対して平行である付記１〜付記３の無線端末。
【００３７】
（付記５）前記パッキンと前記溝部壁との間には隙間が形成されている付記１の無線端末。
【符号の説明】
【００３８】
１              無線端末
２              前面ケース
３              シャーシ
４              パッキン
５              嵌合部
６              溝部
１３            リブ収納部
１７            リブ
【図１】
0005588776.tif 000002
【図２】
0005588776.tif 000003
【図３】
0005588776.tif 000004
【図４】
0005588776.tif 000005
【図５】
0005588776.tif 000006
【図６】
0005588776.tif 000007
【図７】
0005588776.tif 000008
【図８】
0005588776.tif 000009